(57)【特許請求の範囲】
【請求項１】
使用者の耳介の後ろに装着されるように構成されたＢＴＥ型補聴器ハウジングと、
前記ＢＴＥ型補聴器ハウジングに収容される少なくとも１つのＢＴＥ型音声入力変換器であって、その各々が、音響音声を各オーディオ音声信号に変換するように構成される、少なくとも１つのＢＴＥ型音声入力変換器と、
前記使用者の外耳に配置されるように構成されたＩＴＥ型マイクロホンハウジングと、
前記ＩＴＥ型マイクロホンハウジングに収容される少なくとも１つのＩＴＥ型マイクロホンであって、その各々が、音響音声を各オーディオ音声信号に変換するように構成される、少なくとも１つのＩＴＥ型マイクロホンと、
難聴補正済みの出力信号を生成するように構成されたプロセッサと、
前記難聴補正済みの出力信号を人の聴覚系が受け取り可能な聴覚出力信号に変換するための出力変換器と、を含み、
前記補聴器は、
少なくとも１つの適応キューフィルタであって、その各々が、前記少なくとも１つのＢＴＥ型音声入力変換器からの出力が与えられる入力を有し、少なくとも１つの適応キューフィルタのフィルタ係数は、前記少なくとも１つのＩＴＥ型マイクロホンの出力と、少なくとも１つの適応キューフィルタの結合出力との間の差が低減されるように適応されており、前記プロセッサは、少なくとも１つの適応キューフィルタによる出力に基づいて難聴補正済みの出力信号を生成するように構成されている、少なくとも１つの適応キューフィルタと、
フィードバック抑制のための適応フィードバックキャンセラであって、前記難聴補正済みの出力信号を受け取るために前記プロセッサに接続された入力を有し、前記出力変換器と前記少なくとも１つのＢＴＥ型音声入力変換器との間のフィードバック経路をモデル化する少なくとも１つの出力を提供するように構成され、前記フィードバック経路をモデル化する前記少なくとも１つの出力は、差を得るために、前記少なくとも１つのＢＴＥ型音声入力変換器の前記出力から前記フィードバック経路をモデル化する前記少なくとも１つの出力を減算するための減算器に提供され、前記減算器は、前記少なくとも１つの適応キューフィルタに前記差を出力する、適応フィードバックキャンセラと、
前記適応フィードバックキャンセラおよび前記少なくとも１つの適応キューフィルタに接続されたフィードバック／キュー制御装置であって、前記少なくとも１つのＩＴＥ型マイクロホンの前記出力と、前記少なくとも１つの適応キューフィルタの前記結合出力との間の前記差が低減されるように、前記少なくとも１つの適応キューフィルタを制御するように構成される、フィードバック／キュー制御装置と、
を含むことを特徴とする、補聴器。
【請求項２】
前記少なくとも１つのＢＴＥ型音声入力変換器は、少なくとも１つのＢＴＥ型マイクロホンを含み、
前記少なくとも１つの適応キューフィルタの前記フィルタ係数は、以下の式：
【数１】
0005624202.tif 000029
の解に向けて適応され、
式中、
ＳＩＥＣ（ｆ，ｔ）は、前記少なくとも１つのＩＴＥ型マイクロホンの前記出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、前記少なくとも１つのＢＴＥ型音声入力変換器の前記出力の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、前記少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、前記少なくとも１つのＢＴＥ型マイクロホンのｎ番目のＢＴＥ型マイクロホンと関連付けられたフィードバック経路の伝達関数であり、
ｐは、ノルム係数であり、
Ｗ（ｆ）は、周波数依存性重み付け係数であり、
αは、空間的キュー精度およびフィードバック性能のバランスをとる重み付け係数である、請求項１に記載の補聴器。
【請求項３】
前記少なくとも１つのＢＴＥ型音声入力変換器は、少なくとも１つのＢＴＥ型マイクロホンを含み、
前記少なくとも１つの適応キューフィルタの前記フィルタ係数は、以下の式：
【数２】
0005624202.tif 000030
の以下の条件、
【数３】
0005624202.tif 000031
の下での解に向けて適応され、
式中、
ＳＩＥＣ（ｆ，ｔ）は、前記少なくとも１つのＩＴＥ型マイクロホンの前記出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、前記少なくとも１つのＢＴＥ型音声入力変換器の前記出力の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、前記少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、前記少なくとも１つのＢＴＥ型マイクロホンのｎ番目のＢＴＥ型マイクロホンと関連付けられたフィードバック経路の伝達関数であり、
ｐは、ノルム係数であり、
ＭＳＧ（ｆ）は、最大安定利得である、請求項１に記載の補聴器。
【請求項４】
前記少なくとも１つの適応キューフィルタの前記フィルタ係数は、フィルタ係数のセットを含み、前記補聴器は、前記少なくとも１つの適応キューフィルタの前記フィルタ係数のセットを格納するためのメモリをさらに含み、前記フィルタ係数のセットの各々は、前記補聴器に関する特定の到来方向に対するものである、請求項１に記載の補聴器。
【請求項５】
前記少なくとも１つの適応キューフィルタには、前記少なくとも１つのＩＴＥ型マイクロホンの前記出力と、前記少なくとも１つの適応キューフィルタの前記結合出力との間の最小の差を提供する前記フィルタ係数のセットがロードされる、請求項４に記載の補聴器。
【請求項６】
前記少なくとも１つの適応キューフィルタに前記最小の差を提供する前記フィルタ係数のセットがロードされた後、前記少なくとも１つの適応キューフィルタは、さらなる適応が可能である、請求項５に記載の補聴器。
【請求項７】
前記少なくとも１つの適応キューフィルタは、前記フィルタ係数の値の変化が規定の閾値を下回る場合は、さらに適応されることが防止される、請求項１に記載の補聴器。
【請求項８】
前記少なくとも１つの適応キューフィルタの前記フィルタ係数は、前記少なくとも１つのＩＴＥ型マイクロホンの前記出力と、前記少なくとも１つの適応キューフィルタの前記結合出力との間の前記差が最小化するように適応される、請求項１に記載の補聴器。
【請求項９】
前記少なくとも１つのＢＴＥ型音声入力変換器は、難聴補正が少なくとも１つのＩＴＥ型マイクロホンの出力のみに基づくように、周波数チャネルの１つまたは複数においてプロセッサから切断される、請求項８に記載の補聴器。
【請求項１０】
前記少なくとも１つのＢＴＥ型音声入力変換器は、第１のＢＴＥ型音声入力変換器と、第２のＢＴＥ型音声入力変換器とを含み、
前記少なくとも１つの適応キューフィルタは、第１の適応キューフィルタと、第２の適応キューフィルタとを含み、
前記第１の適応キューフィルタは、前記第１のＢＴＥ型音声入力変換器からの出力信号が与えられる入力を有し、
前記第１の適応キューフィルタのフィルタ係数は、前記少なくとも１つのＩＴＥ型マイクロホンの前記出力と、前記第１および第２の適応キューフィルタの結合出力との間の差が低減されるように適応される、請求項１に記載の補聴器。
【請求項１１】
前記第２の適応キューフィルタは、前記第２のＢＴＥ型音声入力変換器からの出力信号が与えられる入力を有し、
前記第２の適応キューフィルタのフィルタ係数は、少なくとも１つのＩＴＥ型マイクロホンの前記出力と、前記第１および第２の適応キューフィルタの結合出力との間の差が低減されるように適応される、請求項１０に記載の補聴器。
【請求項１２】
αは、周波数に依存している、請求項２に記載の補聴器。
【請求項１３】
Ｗ（ｆ）は、１に等しい、請求項２に記載の補聴器。
【請求項１４】
ｐは、２に等しい、請求項２に記載の補聴器。
【請求項１５】
前記少なくとも１つの適応キューフィルタの前記フィルタ係数は、前記少なくとも１つのＩＴＥ型マイクロホンの前記出力と、前記少なくとも１つの適応キューフィルタの前記結合出力との間の前記差が最小化されるように適応される、請求項１に記載の補聴器。
【請求項１６】
補聴器は、
音声伝送部材であって、前記音声信号伝送部材の第１の端部における前記ＢＴＥ型補聴器ハウジングの音声出力から、前記音声信号伝送部材の第２の端部における前記使用者の前記外耳道への音声信号の伝送を行うための音声伝送部材と、
前記使用者の前記外耳道内の意図された位置に前記音声信号伝送部材を固定および保持するために前記使用者の前記外耳道内に挿入されるように構成されたイヤピースと、をさらに含む、請求項１に記載の補聴器。
【発明の詳細な説明】
【技術分野】
【０００１】
補聴器の装着者に関連した音源定位の向上が得られる新規の補聴器が提供される。
【背景技術】
【０００２】
補聴器の使用者には、補聴器を装着していない時と比較して、補聴器を装着している際に音源定位能力が劣ることが報告されている。このことは、軽度から中等度の聴覚障害者にとっては深刻な問題を示している。
【０００３】
さらに、補聴器は通常、頭の中で使用者が定位されるべき音源を知覚するように音を再現する。音は、外在化されるのではなく、内在化されると考えられている。「騒音の中で会話を聞く問題」に関する補聴器使用者の共通の不満は、たとえ信号対雑音比（ＳＮＲ）が必要とされる会話明瞭度の提供に十分なものであったとしても、言われていることを理解することが非常に困難であるという点である。この事実に対する大きな寄与因子は、補聴器が内在化された音場を再現するという点である。これにより、補聴器使用者の認知的負荷が増大し、聞き取りによる疲労が生じ、最終的には、使用者が１つまたは複数の補聴器を取り外す結果となり得る。
【０００４】
従って、音源定位が向上した新規の補聴器に対するニーズが存在する。すなわち、新規の補聴器は、補聴器の装着者の頭部の配向に関連して音環境内の各音源の方向および距離の情報を保存する。
【０００５】
人間は、人の持つバイノーラル音声の定位能力を利用して、３次元空間で音源の検出および定位を行う。
【０００６】
聴覚への入力は、２つの信号、つまり、以下ではバイノーラル音声信号と称する、各鼓膜における音圧から成る。従って、ある空間的音場によって発生した鼓膜における音圧が、正確に鼓膜で再現されると、人の聴覚系は、再現された音と、空間的音場自体によって発生した実際の音とを区別できない。
【０００７】
人の聴覚系が音源に対する距離および方向に関する情報をどのように引き出すかは完全に分かってはいないが、人の聴覚系が、この決定において多数のキューを使用することは分かっている。それらのキューの中には、スペクトルキュー、残響キュー、両耳間時間差（ＩＴＤ）、両耳間位相差（ＩＰＤ）、および両耳間レベル差（ＩＬＤ）がある。
【０００８】
聞き手の左耳および右耳に関連してある方向および距離に位置する音源からの音波の伝達は、音色変化、両耳間時間差、および両耳間スペクトル差等の何らかの直線歪みを含む、２つの伝達関数（一方は左耳用で、他方は右耳用）の形で表現される。一方が左耳用で、他方が右耳用であるこのような２つの伝達関数のセットは、頭部伝達関数（ＨＲＴＦ）と呼ばれる。ＨＲＴＦの各伝達関数は、基準に対する、関係する外耳道内またはその付近の特定点において平面波によって発生した音圧ｐ（左の外耳道ではｐＬであり、右の外耳道ではｐＲである）の比として定義される。従来選択される基準は、聞き手が不在の状態で、頭部のちょうど真ん中の位置で平面波によって発生したであろう音圧ｐｌである。
【０００９】
ＨＲＴＦは、頭部の周囲の回折、肩からの反射、外耳道内の反射等を含む、聞き手の耳への音伝達に関連する全ての情報を含み、従って、ＨＲＴＦは、個人ごとに異なる。
【００１０】
以下では、ＨＲＴＦの伝達関数の１つを、便宜上、ＨＲＴＦとも称する。
【００１１】
補聴器関連の伝達関数は、ＨＲＴＦと同様に、つまり、平面波に応答して関係する外耳道内の特定点において補聴器によって発生した音圧ｐと、基準との比として定義される。従来選択される基準は、聞き手が不在の状態で、頭部のちょうど真ん中の位置で平面波によって発生したであろう音圧ｐｌである。
【００１２】
ＨＲＴＦは、聞き手の両耳に関連した音源の方向および距離と共に変化する。どのような方向および距離に関しても、ＨＲＴＦの測定が可能であり、例えば電子的に、例えばフィルタを用いて、ＨＲＴＦをシミュレーションすることが可能である。このようなフィルタが、テープレコーダ等の再生装置と、聞き手が使用するヘッドホンとの間の信号経路に挿入される場合、聞き手は、耳の中の音圧が実際通りに再現されるので、ヘッドホンによって生成された音が、問題のＨＲＴＦをシミュレートするフィルタの伝達関数によって定義される距離および方向に位置する音源からのものであると知覚することができる。
【００１３】
空間的に符号化された情報を読み取る際の脳によるバイノーラル処理により、幾つかのプラスの効果、つまり、より良い信号対雑音比（ＳＮＲ）、到来方向（ＤＯＡ）推定、奥行き／距離知覚、および視覚系および聴覚系間の相乗効果が生じる。
【００１４】
耳の複雑な形状は、聞き手の個々の空間−スペクトルキュー（ＩＴＤ、ＩＬＤ、およびスペクトルキュー）の主な寄与因子である。従って、耳の後ろで音を拾う装置は、スペクトルに関する詳細のほとんどが失われる、またはかなり歪曲されるので、ＨＲＴＦの再現において不利である。
【００１５】
このことは、オープンイヤ、すなわち、閉塞されていない耳の角度−周波数スペクトルを示す図１に例示され、この測定は、同じ耳を用いた耳かけ型装置（ＢＴＥ）の前方マイクロホンにおける対応する測定と共に示される。オープンイヤスペクトルは詳細であるが、ＢＴＥの結果は、はるかに不明瞭であり、スペクトルに関する詳細のほとんどが失われている。
【発明の概要】
【発明が解決しようとする課題】
【００１６】
従って、補聴器の１つまたは複数のマイクロホンを、使用者に到達した音の空間的キューが保存されるような、補聴器を装着している使用者に関連した１つまたは複数の位置に配置させることが望ましい。例えば、耳に到達した音の空間的キューを保存するために、使用者の耳介の前の外耳に、例えば外耳道への入口に、または、外耳道の内部に、マイクロホンを配置することは、耳の後ろのマイクロホンを用いた場合に可能である程度と比較してかなり高程度に有利である。三角窩の下の位置は、空間的キューの保存に関して有利であるということも証明されている。
【００１７】
マイクロホンを外耳道への入口または外耳道内に位置決めすることにより、マイクロホンが補聴器の音声発生装置の近くに移動し、それによってフィードバックが生じる危険性が増し、今度は、補聴器に規定可能な最大安定利得が制限されるという問題が生じる。
【００１８】
この問題を解決する一般的な方法は、特注のモールドを用いて外耳道を完全に封鎖することである。しかしながら、これにより、閉塞効果並びに湿度および熱に関する快適性の問題が生じる。
【００１９】
比較のため、耳の後ろに配置される前方および後方マイクロホンを備えたＢＴＥ型補聴器、および外耳道内に配置されるオープンフィットのマイクロホンを備えた耳穴（ＩＴＥ）型補聴器の最大安定利得を図３に示す。ＩＴＥ型補聴器は、ほとんど全ての周波数に関して、前方および後方ＢＴＥ型マイクロホンと比較して、ずっと低い最大安定利得（ＭＳＧ）を有することが分かる。
【課題を解決するための手段】
【００２０】
新規の補聴器では、任意の構成のマイクロホンの出力信号は、空間的キューが保存され、補聴器の使用者に伝達されるように信号処理を受ける。出力信号は、空間的キューを保存するように構成されたフィルタを用いてフィルタリングされる。
【００２１】
新規の補聴器は、従来通り配置されるＢＴＥ型補聴器のマイクロホンに加えて、使用者の耳に到達し、音環境中の音源定位に関連する所望の空間情報を含む音を記録するために、使用中に、使用者の耳介の前の外耳において、または外耳道の内部に配置されるよう意図された少なくとも１つのＩＴＥ型マイクロホンを設けることにより、使用者に対して定位の向上を提供する。
【００２２】
新規の補聴器の信号プロセッサは、使用者の外耳に存在する少なくとも１つのＩＴＥ型マイクロホンのオーディオ音声信号を、従来通り配置されたＢＴＥ型補聴器の１つまたは複数のマイクロホンの１つまたは複数のマイクロホン信号と、空間的キューが保存されるようにして結合させる。少なくとも１つのＩＴＥ型マイクロホンのオーディオ信号は、少なくとも１つのＩＴＥ型マイクロホンの各マイクロホンの出力信号の加重和として形成することができる。信号処理の他の形式は、少なくとも１つのＩＴＥ型マイクロホンのオーディオ信号の形成に含めることができる。
【００２３】
従って、
使用者の耳介の後ろに装着されるＢＴＥ型補聴器ハウジングと、
ＢＴＥ型補聴器ハウジングに収容される、全方向性マイクロホン、指向性マイクロホン、埋め込み型補聴器用の変換器、テレコイル、デジタルオーディオデータストリームのレシーバ等の少なくとも１つのＢＴＥ型音声入力変換器であって、少なくとも１つのＢＴＥ型音声入力変換器の各々が、音声を各オーディオ信号に変換するように構成される、少なくとも１つのＢＴＥ型音声入力変換器と、
オーディオ音声信号に基づいて難聴補正済みの出力信号を生成するように構成されたプロセッサと、
音声信号伝送部材であって、音声信号伝送部材の第１の端部におけるＢＴＥ型補聴器ハウジングの音声出力から、音声信号伝送部材の第２の端部における使用者の外耳道への難聴補正済みの出力信号を表す信号の伝送を行うための音声信号伝送部材と、
使用者の外耳道内の意図された位置に音声信号伝送部材を固定および保持するために使用者の外耳道内に挿入されるように構成されたイヤピースと、
難聴補正済みの出力信号を人の聴覚系が受け取り可能な聴覚出力信号に変換するための出力変換器と、
少なくとも１つのＩＴＥ型マイクロホンを収容し、少なくとも１つのＩＴＥ型マイクロホンを意図された位置に固定および保持するために使用者の外耳に配置されるように構成されたＩＴＥ型マイクロホンハウジングと、
を含み、
プロセッサは、難聴補正済みの出力信号が、少なくとも１つのＩＴＥ型マイクロホンによって記録された、または少なくとも１つのＩＴＥ型マイクロホンおよび少なくとも１つのＢＴＥ型音声入力変換器の組み合わせによって記録された空間的キュー等の空間的キューを実質的に保存するように、少なくとも１つのＩＴＥ型マイクロホンおよび少なくとも１つのＢＴＥ型音声入力変換器の出力信号を処理するようにさらに構成された、補聴器が提供される。
【００２４】
補聴器は、処理される信号が複数の周波数チャネルに分割され、信号が各周波数チャネルにおいて個別に処理されるマルチチャネル補聴器でもよい。
【００２５】
プロセッサは、難聴補正済みの出力信号が選択された周波数帯域で空間的キューを実質的に保存するように、少なくとも１つのＩＴＥ型マイクロホンおよび少なくとも１つのＢＴＥ型音声入力変換器の出力信号を処理するように構成されてもよい。
【００２６】
選択された周波数帯域は、周波数チャネルの内の１つまたは複数、あるいは、全ての周波数チャネルを含んでいてもよい。選択された周波数帯域は、断片化が行われてもよい。すなわち、選択された周波数帯域は、連続した周波数チャネルを含む必要がない。
【００２７】
複数の周波数チャネルは、ワーピングされた周波数チャネルを含むことが可能で、例えば、全ての周波数チャネルがワーピングされた周波数チャネルでもよい。
【００２８】
選択された周波数帯域外では、少なくとも１つのＩＴＥ型マイクロホンが、従来のように入力源として補聴器の信号プロセッサに接続されてもよく、周知の方法で補聴器の信号プロセッサと連携してもよい。
【００２９】
このように、少なくとも１つのＩＴＥ型マイクロホンは、この構成を用いて所望の利得を補聴器が提供可能な周波数で、補聴器に入力を供給する。この構成を用いて所望の利得を補聴器が提供できない選択された周波数帯域内においては、ＢＴＥ型補聴器ハウジングのマイクロホンが、上記に開示したような信号処理に含まれる。このように、少なくとも１つのＩＴＥ型マイクロホンによって提供される音環境に関する空間情報を維持すると同時に、利得を増加させることができる。
【００３０】
補聴器は、例えば、プロセッサ入力と、少なくとも１つのＩＴＥ型マイクロホンとをつなぐ第１のフィルタ、およびプロセッサ入力と、少なくとも１つのＢＴＥ型音声入力変換器の結合出力とをつなぐ第２の相補型フィルタを含んでいてもよく、これらのフィルタは、相補的な周波数帯域の周波数の通過および遮断を行い、少なくとも１つのＩＴＥ型マイクロホンおよび少なくとも１つのＢＴＥ型音声入力変換器の結合出力の一方が、１つの周波数帯域でプロセッサ入力に供給される入力信号の主要部分を構成し、少なくとも１つのＩＴＥ型マイクロホンおよび少なくとも１つのＢＴＥ型音声入力変換器の結合出力の他方は、相補的な周波数帯域でプロセッサ入力に供給される入力信号の主要部分を構成するようにする。
【００３１】
この場合、少なくとも１つのＩＴＥ型マイクロホンは、難聴補正に必要とされる利得が、少なくとも１つのＩＴＥ型マイクロホンの出力信号に適用可能な周波数帯域において、プロセッサへの唯一の入力源として用いることができる。この周波数帯域外では、必要とされる利得を提供するために、少なくとも１つのＢＴＥ型音声入力変換器の結合出力信号が、信号プロセッサに適用される。
【００３２】
少なくとも１つのＢＴＥ型音声入力変換器の結合出力信号は、本明細書の他の箇所に記載の方法で適応フィルタリングを受けることができる。信号の結合は、例えば、異なる種類のバンドパスフィルタリングに基づいてもよい。
【００３３】
本開示全体を通して、「少なくとも１つのＩＴＥ型マイクロホンの出力信号」という用語は、少なくとも１つのＩＴＥ型マイクロホンの出力からプロセッサの入力までの信号経路の一部を形成するアナログまたはデジタル信号を指すために使用されることがあり、前処理済みの少なくとも１つのＩＴＥ型マイクロホンの前処理済み出力信号を含む。
【００３４】
同様に、「少なくとも１つのＢＴＥ型音声入力変換器の出力信号」という用語は、少なくとも１つのＢＴＥ型音声入力変換器からプロセッサの入力までの信号経路の一部を形成するアナログまたはデジタル信号を指すために使用されることがあり、前処理済みの少なくとも１つのＢＴＥ型音声入力変換器の前処理済み出力信号を含む。
【００３５】
使用の際は、少なくとも１つのＩＴＥ型マイクロホンは、入ってくる音に応じて生成される少なくとも１つのＩＴＥ型マイクロホンの出力信号が、使用者のＨＲＴＦの良好な近似を成す伝達関数を有するように配置される。例えば、少なくとも１つのＩＴＥ型マイクロホンは、外耳道の入口に配置された単一のマイクロホンで構成してもよい。信号プロセッサは、プロセッサの難聴補正済みの出力信号もまた、使用者のＨＲＴＦの良好な近似を成す伝達関数を獲得し、それによって、定位の向上が使用者にもたらされるように、少なくとも１つのＩＴＥ型マイクロホンの出力信号に含まれる方向に関する情報を、結果として得られるプロセッサの難聴補正済みの出力信号に伝達する。
【００３６】
ＢＴＥ（耳かけ）型補聴器は、当該分野では周知のものである。ＢＴＥ型補聴器は、使用者の耳介の後ろに装着されるように成形されたＢＴＥ型ハウジングを有する。ＢＴＥ型ハウジングは、難聴補正用の構成要素を収容する。音声信号伝送部材、すなわち、音響管または導電体は、ＢＴＥ型ハウジングから使用者の外耳道内へと難聴補正済みの音声を表す信号を伝送する。
【００３７】
音声信号伝送部材を使用者の外耳道の入口にしっかりと快適に配置させるためには、オープンソリューションを構成する、使用者の外耳道内に挿入するためのイヤピース、シェル、またはイヤモールドを提供することができる。オープンソリューションでは、イヤピース、シェル、またはイヤモールドは、外耳道内の意図された動作位置に配置されたときに、外耳道を塞ぐことがない。より正確に言えば、イヤピース、シェル、またはイヤモールドを通る、または、外耳道壁の一部と、イヤピース、シェル、またはイヤモールドの一部との間に通路が存在し、それによって、鼓膜とイヤピース、シェル、またはイヤモールドとの間の、イヤピース、シェル、またはイヤモールドの後方から、通路を通って、使用者の周囲へと音波が抜け出ることが可能となる。このように、閉塞効果は、実質的に取り除かれる。
【００３８】
一般的に、イヤピース、シェル、またはイヤモールドは、使用者の耳にフィットして、音声信号伝送部材を外耳道内の意図された位置に十分固定し、例えば使用者が顎を動かした際にイヤピースが耳から抜け落ちることがないように、個別にオーダーメイドされる、または多数の標準サイズで製造される。
【００３９】
出力変換器は、ＢＴＥ型補聴器ハウジング内に配置されるレシーバでもよい。この場合、音声信号伝送部材は、音響管であって、音響音声信号をＢＴＥ型補聴器ハウジング内に配置されたレシーバから音響管を通して使用者の外耳道内に配置および保持されたイヤピースまで伝搬させ、外耳道内の鼓膜へと音響音声信号を伝送する出力ポートを備えた音響管を含む。
【００４０】
出力変換器は、イヤピース内に配置されるレシーバでもよい。この場合、音声信号伝送部材は、導電体であって、ＢＴＥ型補聴器ハウジング内の信号プロセッサの出力から、導体を通して、イヤピース内に配置されており、イヤピースの出力ポートから音を発生させるレシーバへとオーディオ音声信号を伝搬させる導電体を含む。
【００４１】
少なくとも１つのＩＴＥ型マイクロホンを収容するＩＴＥ型マイクロホンハウジングは、イヤピースが外耳道内の意図された位置に固定された際に少なくとも１つのマイクロホンが外耳道の入口近くに配置されるように、イヤピースと一体化される、またはイヤピースによって構成されてもよい。
【００４２】
ＩＴＥ型マイクロホンハウジングは、使用者の外耳内でその位置を保持するために、耳介の内側、例えば、対耳輪に隣接する耳甲介の周囲に配置され、かつ、少なくとも部分的に対耳輪によって覆われることが意図されたアーム、場合により、可撓性アームを用いて、ＢＴＥ型補聴器ハウジングに接続されてもよい。アームは、製造時に、アームが耳介の意図された位置へと簡単にフィットするように、好ましくは、対耳輪の曲率より僅かに大きな曲率を有するアーチ形状に予め成形することができる。一例では、アームは、三角窩の真下の動作位置での少なくとも１つのＩＴＥ型マイクロホンの位置決めを容易にする長さおよび形状を有する。
【００４３】
信号プロセッサは、ＢＴＥ型補聴器ハウジング内またはイヤピース内に収容されてもよく、あるいは、信号プロセッサの一部が、ＢＴＥ型補聴器ハウジング内に収容され、かつプロセッサの一部が、イヤピース内に収容されてもよい。ＢＴＥ型補聴器ハウジングの回路とイヤピースの回路との間に、片方向または双方向の通信リンクが存在する。このリンクは、有線または無線でもよい。
【００４４】
同様に、ＢＴＥ型補聴器ハウジングの回路と少なくとも１つのＩＴＥ型マイクロホンの回路との間に、片方向または双方向の通信リンクが存在する。このリンクは、有線または無線でもよい。
【００４５】
信号プロセッサは、補聴器の最適な空間的性能のために音環境の空間情報を維持すると同時に、可能な限り大きな最大安定利得を提供しながら、難聴補正を行うように動作する。
【００４６】
イヤピースの少なくとも１つのＩＴＥ型マイクロホンの出力信号は、幾つかの前処理済みＩＴＥ型マイクロホン信号の組み合わせ、または、少なくとも１つのＩＴＥ型マイクロホンのうちの１つのＩＴＥ型マイクロホンの出力信号でもよい。イヤピースの少なくとも１つのＩＴＥ型マイクロホンの出力信号のある時点の短時間スペクトルは、ＳＩＥＣ（ｆ，ｔ）（ＩＥＣ＝Ｉｎ  ｔｈｅ  Ｅａｒ  Ｃｏｍｐｏｎｅｎｔ）で示される。
【００４７】
少なくとも１つのＢＴＥ型音声入力変換器の１つまたは複数の出力信号が提供される。これらの信号のスペクトルは、Ｓ１ＢＴＥＣ（ｆ，ｔ）およびＳ２ＢＴＥＣ（ｆ，ｔ）等（ＢＴＥＣ＝Ｂｅｈｉｎｄ  Ｔｈｅ  Ｅａｒ  Ｃｏｍｐｏｎｅｎｔ）で示される。出力信号は、前処理が行われてもよい。前処理には、いずれの形態の処理も除外されることなく、適応および／または静的フィードバック抑制、適応または固定ビーム形成、およびプレフィルタリングが含まれ得る。
【００４８】
適応フィルタは、少なくとも１つのＢＴＥ型音声入力変換器の電子出力信号が少なくとも１つのＩＴＥ型マイクロホンの出力信号と可能な限り近く一致するように、それらの電子出力信号の適応フィルタリングを行うように構成されてもよい。適応キューフィルタＧ１、Ｇ２、・・・、Ｇｎは、それぞれの伝達関数：Ｇ１（ｆ，ｔ）、Ｇ２（ｆ，ｔ）、・・・、Ｇｎ（ｆ，ｔ）を有する。
【００４９】
少なくとも１つのＩＴＥ型マイクロホンは、現在の音環境の所望の空間情報を備えた電子音声信号の生成を行う１つまたは複数のモニタマイクロホンとして動作する。
【００５０】
少なくとも１つのＢＴＥ型音声入力変換器の各出力信号は、それぞれの適応フィルタを用いてフィルタリングされ、そのフィルタ係数は、少なくとも１つのＩＴＥ型マイクロホンによって供給される電子音声信号に可能な限り近く類似する１つまたは複数の適応フィルタの結合出力信号を提供するように適応される。
【００５１】
フィルタ係数は、以下の最小化問題：
【数１】
0005624202.tif 000002
に対する厳密解または近似解を得るように適応が行われる。ここで、ｐは、ノルムである。好ましくは、ｐ＝２である。
【００５２】
適応を制御するアルゴリズムは、例えば、最小二乗平均（ＬＭＳ）または再帰的最小二乗（ＲＬＳ）に基づく、場合により正規化された、ｐ＝２の最適化法でもよい（それに限定されることはない）。
【００５３】
様々な重みを上記の最小化問題に組み込んで、重みの値が規定するように解を最適化することができる。例えば、周波数重みＷ（ｆ）は、他の周波数範囲の情報は無視されうるが、特定の１つまたは複数の周波数範囲において解を最適化することができる。従って、最小化問題は、
【数２】
0005624202.tif 000003
に変形可能である。
【００５４】
さらに、１つまたは複数の選択された周波数範囲において、位相は無視して、伝達関数の大きさのみを最小化の際に考慮に入れてもよい、すなわち、１つまたは複数の選択された周波数範囲において、伝達関数は、その絶対値で置き換えられる。
【００５５】
適応フィルタリングに続いて、１つまたは複数の適応フィルタの結合出力信号は、例えば圧縮器を用いて、さらなる難聴補正処理に回される。
【００５６】
このように、少なくとも１つのＢＴＥ型音声入力変換器からの信号のみが、難聴補正の結果として増幅され得るが、少なくとも１つのＩＴＥ型マイクロホンの電子出力信号は、難聴補正処理の影響を受けず、それによって、出力変換器から少なくとも１つのＩＴＥ型マイクロホンへの起こり得るフィードバックが最小限に抑えられ、大きな最大安定利得を得ることができる。
【００５７】
例えば、１つのＩＴＥ型マイクロホンおよび少なくとも１つのＢＴＥ型音声入力変換器を構成する２つのＢＴＥ型マイクロホンを備えた補聴器において、入射音場が一人の話者から発せられた音声から成り、発せられた音声が、短時間スペクトルＸ（ｆ，ｔ）を有する場合には、ＩＴＥ型マイクロホン信号に関して前処理が行われず、かつ、ＩＴＥ型マイクロホンが実際のＨＲＴＦを完全に再現すると仮定すると、以下の信号：
【数３】
0005624202.tif 000004
【数４】
0005624202.tif 000005
が与えられる。式中、Ｈ１，２（ｆ）は、２つのＢＴＥ型マイクロホンの補聴器関連の伝達関数である。
【００５８】
十分な適応を行った後、結果として得られる適応済みフィルタを用いて畳み込みが行われ、合計された補聴器インパルス応答は、実際のＨＲＴＦに等しく、
【数５】
0005624202.tif 000006
である。
【００５９】
話者が移動し、それによって、ＨＲＴＦが変化すると、適応フィルタ（すなわち、フィルタ係数を調整するアルゴリズム）は、最小化問題（数２）の新しい最小値に向けて適応を行う。適応の時定数は、現在の音環境の変化に適切に対応するように設定される。
【００６０】
フィードバックは、フィードバックループの利得が１未満でなければならないという条件に従って、すなわち、
【数６】
0005624202.tif 000007
の条件に従って、最小化問題（数２）の解を実行することによって、考慮することができる。式中、ＨＦＢ，１ＢＴＥＣ（ｆ），ＨＦＢ，２ＢＴＥＣ（ｆ），・・・ＨＦＢ，ｎＢＴＥＣ（ｆ）は、少なくとも１つのＢＴＥ型マイクロホンのｎ番目のＢＴＥ型マイクロホンと関連付けられたフィードバック経路の伝達関数であり、ＭＳＧ（ｆ）は、最大安定利得である。
【００６１】
このように、所望の最大安定利得が利用可能になることが保証される。
【００６２】
あるいは、空間的キューの保存およびフィードバックキャンセルの要件は、以下の式：
【数７】
0005624202.tif 000008
の解を得ることによって、バランスをとることができる。式中、ｐは、ノルム係数、例えば、ｐ＝２であり、αは、空間的キュー精度およびフィードバック性能のバランスをとる重み付け係数である。問題の周波数範囲においてフィードバックを適切に考慮するため、フィードバックの確率が低い周波数範囲においてαが低値であり得るように、そして、フィードバックの確率が高い周波数範囲においてαが高値であり得るように、αは周波数依存性であってもよい。
【００６３】
フィードバック経路の伝達関数ＨＦＢ，１ＢＴＥＣ（ｆ），ＨＦＢ，２ＢＴＥＣ（ｆ），・・・ＨＦＢ，ｎＢＴＥＣ（ｆ）は、当技術分野で周知の適応フィードバックキャンセル回路によってモデル化されても、近似されてもよい。
【００６４】
様々な重みを上記の最小化問題に組み込んで、重みの値が規定するように、解を最適化することができる。例えば、周波数重みＷ（ｆ）は、特定の１つまたは複数の周波数範囲において、解を最適化することができる。従って、最小化問題は、
【数８】
0005624202.tif 000009
に変形可能であり、
【数９】
0005624202.tif 000010
または
【数１０】
0005624202.tif 000011
の条件が与えられている。
【００６５】
対象伝達関数は、様々な方向Ｉに対して、ＨＲＴＦによって定義される必要はない。空間的キューを含むどのような伝達関数も、対象伝達関数として使用することができる。
【００６６】
本明細書において使用される、「プロセッサ」、「信号プロセッサ」、「制御装置」、「システム」等の用語は、ハードウェア、ハードウェアおよびソフトウェアの組み合わせ、ソフトウェア、または実行中のソフトウェアのいずれかのＣＰＵ関連の構成要素を指すように意図されたものである。
【００６７】
例えば、「プロセッサ」、「信号プロセッサ」、「制御装置」、「システム」等は、プロセッサで実行中のプロセス、プロセッサ、オブジェクト、実行ファイル、実行スレッド、および／またはプログラムでもよいが、それらに限定されることはない。
【００６８】
例として、「プロセッサ」、「信号プロセッサ」、「制御装置」、「システム」等の用語は、プロセッサで実行中のアプリケーションおよびハードウェアプロセッサの両方を指す。１つまたは複数の「プロセッサ」、「信号プロセッサ」、「制御装置」、「システム」等、またはそれらのどのような組み合わせも、プロセスおよび／または実行スレッド内に存在してもよく、１つまたは複数の「プロセッサ」、「信号プロセッサ」、「制御装置」、「システム」等、またはそれらのどのような組み合わせも、１つのハードウェアプロセッサ上に、場合によっては、他のハードウェア回路との組み合わせで局在してもよく、および／または２つ以上のハードウェアプロセッサ間で、場合によっては、他のハードウェア回路との組み合わせで分配されてもよい。
【００６９】
補聴器は、使用者の耳介の後ろに装着されるように構成されたＢＴＥ型補聴器ハウジングと、ＢＴＥ型補聴器ハウジングに収容される少なくとも１つのＢＴＥ型音声入力変換器であって、その各々が、音響音声を各オーディオ音声信号に変換するように構成される、少なくとも１つのＢＴＥ型音声入力変換器と、使用者の外耳に配置されるように構成されたＩＴＥ型マイクロホンハウジングと、ＩＴＥ型マイクロホンハウジングに収容される少なくとも１つのＩＴＥ型マイクロホンであって、その各々が、音響音声を各オーディオ音声信号に変換するように構成される、少なくとも１つのＩＴＥ型マイクロホンと、少なくとも１つの適応キューフィルタであって、その各々が、少なくとも１つのＢＴＥ型音声入力変換器からの出力が与えられる入力を有し、少なくとも１つの適応キューフィルタのフィルタ係数は、少なくとも１つのＩＴＥ型マイクロホンの出力と、少なくとも１つの適応キューフィルタの結合出力との間の差が低減されるように適応される、少なくとも１つの適応キューフィルタと、少なくとも１つの適応キューフィルタによる出力に基づいて難聴補正済みの出力信号を生成するように構成されたプロセッサと、難聴補正済みの出力信号を人の聴覚系が受け取り可能な聴覚出力信号に変換するための出力変換器と、フィードバック抑制のための適応フィードバックキャンセラであって、難聴補正済みの出力信号を受け取るためにプロセッサに接続された入力を有し、出力変換器と少なくとも１つのＢＴＥ型音声入力変換器との間のフィードバック経路をモデル化する少なくとも１つの出力を提供するように構成され、フィードバック経路をモデル化する少なくとも１つの出力は、差を得るために、少なくとも１つのＢＴＥ型音声入力変換器の出力からフィードバック経路をモデル化する少なくとも１つの出力を減算するための減算器に提供され、減算器は、少なくとも１つの適応キューフィルタに差を出力する、適応フィードバックキャンセラと、適応フィードバックキャンセラおよび少なくとも１つの適応キューフィルタに接続されたフィードバック／キュー制御装置であって、少なくとも１つのＩＴＥ型マイクロホンの出力と、少なくとも１つの適応キューフィルタの結合出力との間の差が低減されるように、少なくとも１つの適応キューフィルタを制御するように構成される、フィードバック／キュー制御装置とを含む。
【００７０】
場合により、少なくとも１つの適応キューフィルタのフィルタ係数は、以下の式：
【数１１】
0005624202.tif 000012
の解に向けて適応を行ってもよい。式中、ＳＩＥＣ（ｆ，ｔ）は、少なくとも１つのＩＴＥ型マイクロホンの出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、少なくとも１つのＢＴＥ型音声入力変換器の出力の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、少なくとも１つのＢＴＥ型マイクロホンのｎ番目のＢＴＥ型マイクロホンと関連付けられたフィードバック経路の伝達関数であり、ｐは、ノルム係数であり、Ｗ（ｆ）は、周波数依存性重み付け係数であり、αは、空間的キュー精度およびフィードバック性能のバランスをとる重み付け係数である。
【００７１】
場合により、少なくとも１つの適応キューフィルタのフィルタ係数は、以下の式：
【数１２】
0005624202.tif 000013
の以下の条件
【数１３】
0005624202.tif 000014
の下での解に向けて適応を行うことができる。式中、ＳＩＥＣ（ｆ，ｔ）は、少なくとも１つのＩＴＥ型マイクロホンの出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、少なくとも１つのＢＴＥ型音声入力変換器の出力の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、少なくとも１つのＢＴＥ型マイクロホンのｎ番目のＢＴＥ型マイクロホンと関連付けられたフィードバック経路の伝達関数であり、ｐは、ノルム係数であり、ＭＳＧ（ｆ）は、最大安定利得である。
【００７２】
場合により、少なくとも１つの適応キューフィルタのフィルタ係数は、フィルタ係数のセットを含んでいてもよく、補聴器は、少なくとも１つの適応キューフィルタのフィルタ係数のセットを格納するためのメモリをさらに含み、フィルタ係数のセットの各々は、補聴器に関する特定の到来方向に対するものであってもよい。
【００７３】
場合により、少なくとも１つの適応キューフィルタには、少なくとも１つのＩＴＥ型マイクロホンの出力と、少なくとも１つの適応キューフィルタの結合出力との間の最小の差を提供するフィルタ係数のセットがロードされてもよい。
【００７４】
場合により、少なくとも１つの適応キューフィルタに最小の差を提供するフィルタ係数のセットがロードされた後、少なくとも１つの適応キューフィルタは、さらなる適応が可能であってもよい。
【００７５】
場合により、少なくとも１つの適応キューフィルタは、フィルタ係数の値の変化が規定の閾値を下回る場合は、さらに適応されることが防止されてもよい。
【００７６】
場合により、ＢＴＥおよびＩＴＥからのオーディオ音声信号は、複数の周波数チャネルに分割されてもよく、少なくとも１つの適応キューフィルタは、周波数チャネルの１つまたは複数においてオーディオ音声信号を個別に処理するように構成されてもよい。
【００７７】
場合により、少なくとも１つのＢＴＥ型音声入力変換器は、難聴補正が少なくとも１つのＩＴＥ型マイクロホンの出力のみに基づくように、周波数チャネルの１つまたは複数においてプロセッサから切断されてもよい。
【００７８】
場合により、少なくとも１つのＢＴＥ型音声入力変換器は、第１のＢＴＥ型音声入力変換器と、第２のＢＴＥ型音声入力変換器とを含んでいてもよく、少なくとも１つの適応キューフィルタは、第１の適応キューフィルタと、第２の適応キューフィルタとを含んでいてもよく、第１の適応キューフィルタは、第１のＢＴＥ型音声入力変換器からの出力信号が与えられる入力を有してもよく、第１の適応キューフィルタのフィルタ係数は、少なくとも１つのＩＴＥ型マイクロホンの出力と、第１および第２の適応キューフィルタの結合出力との間の差が低減されるように適応されてもよい。
【００７９】
場合により、第２の適応キューフィルタは、第２のＢＴＥ型音声入力変換器からの出力信号が与えられる入力を有してもよく、第２の適応キューフィルタのフィルタ係数は、少なくとも１つのＩＴＥ型マイクロホンの出力と、第１および第２の適応キューフィルタの結合出力との間の差が低減されるように適応されてもよい。
【００８０】
場合により、αは、周波数に依存していてもよい。
【００８１】
場合により、Ｗ（ｆ）は、１に等しくともよい。
【００８２】
場合により、ｐは、２に等しくともよい。
【００８３】
場合により、少なくとも１つの適応キューフィルタのフィルタ係数は、少なくとも１つのＩＴＥ型マイクロホンの出力と、少なくとも１つの適応キューフィルタの結合出力との間の差が最小化されるように適応されてもよい。
【００８４】
場合により、補聴器は、音声伝送部材であって、音声信号伝送部材の第１の端部におけるＢＴＥ型補聴器ハウジングの音声出力から、音声信号伝送部材の第２の端部における使用者の外耳道への音声信号の伝送を行うための音声信号伝送部材と、使用者の外耳道内の意図された位置に音声信号伝送部材を固定および保持するために使用者の外耳道内に挿入されるように構成されたイヤピースとをさらに含んでいてもよい。
【００８５】
補聴器は、ＢＴＥ型補聴器ハウジングと、ＢＴＥ型補聴器ハウジングに収容されるＢＴＥ型音声入力変換器と、ＩＴＥ型マイクロホンハウジングと、ＩＴＥ型マイクロホンハウジングに収容されるＩＴＥ型マイクロホンと、ＢＴＥ型音声入力変換器からの出力が与えられる入力を有するキューフィルタと、キューフィルタによる出力に基づいて難聴補正済みの出力信号を生成するように構成されたプロセッサと、難聴補正済みの出力信号を聴覚出力信号に変換するための出力変換器と、出力変換器とＢＴＥ型音声入力変換器との間のフィードバック経路をモデル化する出力を提供するように構成された適応フィードバックキャンセラであって、フィードバック経路をモデル化する出力は、差を得るために、ＢＴＥ型音声入力変換器の出力からフィードバック経路をモデル化する出力を減算するための減算器に提供され、減算器は、キューフィルタに差を出力する、適応フィードバックキャンセラと、適応フィードバックキャンセラおよびキューフィルタに接続されたフィードバック／キュー制御装置であって、ＩＴＥ型マイクロホンの出力と少なくともキューフィルタを使用して得られる結合出力との間の差が低減されるように、キューフィルタを制御するように構成される、フィードバック／キュー制御装置とを含む。
【００８６】
場合により、結合出力は、キューフィルタからの出力および別のキューフィルタからの別の出力を使用して得ることができる。
【００８７】
場合により、フィードバック／キュー制御装置は、ＩＴＥ型マイクロホンの出力と結合出力との間の差が最小化されるように、キューフィルタを制御するように構成されてもよい。
【００８８】
場合により、キューフィルタは、フィルタ係数のセットを含んでいてもよく、補聴器は、フィルタ係数のセットを格納するためのメモリをさらに含んでいてもよく、フィルタ係数のセットの各々は、補聴器に関する特定の到来方向に対するものである。
【００８９】
場合により、キューフィルタには、ＩＴＥ型マイクロホンの出力と結合出力との間の最小の差を提供するフィルタ係数のセットがロードされてもよい。
【００９０】
場合により、キューフィルタに最小の差を提供するフィルタ係数のセットがロードされた後、キューフィルタは、さらなる適応が可能であってもよい。
【００９１】
場合により、キューフィルタは、フィルタ係数の値の変化が規定の閾値を下回る場合は、さらに適応されることが防止されてもよい。
【００９２】
他のさらなる態様および特徴は、実施形態の以下の詳細な説明を読み進めることから、明らかになるであろう。
【００９３】
図面は実施形態の設計および実用性を示し、図面では、同様の要素は共通の参照符号で言及される。これらの図面は、必ずしも原寸に比例するとは限らない。上記で列挙される利点や目的、そして、他の利点や目的を得る方法をより良く理解するため、実施形態のより具体的な説明が表示され、それらは、添付の図面に示される。これらの図面は、例示的な実施形態のみを描写し、従って、特許請求の範囲を限定するものと見なされてはならない。
【図面の簡単な説明】
【００９４】
【図１】オープンイヤの角度−周波数スペクトルのプロットを示す。
【図２】同じ耳に装着されたＢＴＥ型前方マイクロホンの角度−周波数スペクトルのプロットを示す。
【図３】ＢＴＥ型前方および後方マイクロホンと、外耳道内に配置されたオープンフィットのＩＴＥ型マイクロホンの最大安定利得のプロットを示す。
【図４】新規のＢＴＥ型補聴器の一例を概略的に示す。
【図５】新規のＢＴＥ型補聴器の別の一例を概略的に示す。
【図６】ＩＴＥ型マイクロホンが使用者の外耳に位置する新規のＢＴＥ型補聴器を斜視図で示す。
【図７】適応キューフィルタを備えた新規の補聴器の概略ブロック図を示す。
【図８】フィードバックキャンセルが追加された図７のＢＴＥ型補聴器の概略ブロック図を示す。
【図９】任意の数のマイクロホンを備えた新規の補聴器の概略ブロック図を示す。
【図１０】新規のマルチチャネルＢＴＥ型補聴器の概略ブロック図を示す。
【図１１】フィードバックキャンセルが追加された図１０のマルチチャネルＢＴＥ型補聴器の概略ブロック図を示す。
【図１２】適応チャネルフィルタリングが追加された図１１のマルチチャネルＢＴＥ型補聴器の概略ブロック図を示す。
【発明を実施するための形態】
【００９５】
本発明の実施形態例を示す添付の図面を参照して、以下に、本発明のより完全な説明を行う。しかしながら、本発明は、異なる形態で実施可能であり、本明細書に記載の実施形態に限定されると見なされるものではない。むしろ、これらの実施形態は、本開示内容が徹底的かつ完全なものとなり、本発明の範囲を当業者に十分に伝えられるように提供されるものである。同様の参照符号は、全体を通して同様の要素を示す。従って、各図面の説明に関して、同様の要素の詳細な説明は行わない。
【００９６】
図４は、使用者の耳介１００の後ろに装着されるＢＴＥ型補聴器ハウジング１２（図示しない−内部部品が見えるように外壁を除去している）を含む補聴器１０を概略的に示している。ＢＴＥ型ハウジング１２は、音声信号をマイクロホンオーディオ音声信号に変換するための前方マイクロホン１４および後方マイクロホン１６を備えた少なくとも１つのＢＴＥ型音声入力変換器１４、１６、各マイクロホンオーディオ音声信号をフィルタリングするための任意のプレフィルタ（図示しない）、各マイクロホンオーディオ音声信号を、プロセッサ１８に入力されるそれぞれのデジタルマイクロホンオーディオ音声信号へと変換するためのＡ／Ｄ変換器（図示しない）を収容する。プロセッサ１８は、入力されたデジタルオーディオ音声信号に基づいて難聴補正済みの出力信号を生成するように構成されている。
【００９７】
難聴補正済みの出力信号は、音声信号伝送部材２０内に包含される電線を通して、難聴補正済みの出力信号を使用者の鼓膜に向けて伝送するための音響出力信号に変換するレシーバ２２へと伝送される。レシーバ２２は、ＢＴＥ型補聴器の分野において周知の通り、使用者の外耳道の意図された位置に音声信号伝送部材を固定および保持するために使用者の外耳道に快適に配置されるように成形（図示しない）されたイヤピース２４内に包含される。
【００９８】
イヤピース２４は、イヤピースが使用者の外耳道の意図された位置に配置された場合に外耳道の入口に位置する１つのＩＴＥ型マイクロホン２６も保持している。ＩＴＥ型マイクロホン２６は、音声伝送部材２０内に包含される電線（見えない）を用いて、ＢＴＥ型ハウジング１２内のＡ／Ｄ変換器（図示しない）と、任意で、プレフィルタ（図示しない）とに接続される。
【００９９】
補聴器１０は、電池２８によって電力の供給を受ける。
【０１００】
プロセッサ１８の様々な可能な機能を上記に開示したが、これらの内の幾つかを以下により詳細に開示する。
【０１０１】
図５は、図４に示す補聴器に類似した別の補聴器１０を概略的に示している。ただし、図５ではレシーバ２２がイヤピース２４内ではなく、補聴器ハウジング１２内に配置されており、それによって、レシーバ２２によって出力された音響音声が、イヤピース２４が使用者の外耳道の意図された位置に配置された場合に、音響管２０を通して、使用者の鼓膜に向けて伝送されるという点で相違している。
【０１０２】
図４および図５のＢＴＥ型補聴器１０を使用した際に、使用者の外耳道への入口に近接するＩＴＥ型マイクロホン２６の位置決めは、使用者のＨＲＴＦの良好な再現につながると考えられている。
【０１０３】
図６は、動作位置にある補聴器１０を示し、この位置では、ＢＴＥ型ハウジング１２が使用者の耳の後ろ、すなわち、耳介１００の後ろに存在する。図示された補聴器１０は、ＩＴＥ型マイクロホン２６が、アーム３０の自由端において、外耳道の外側の使用者の外耳に配置されるということを除いては、図４および図５に示される補聴器と類似したものである。アーム３０は可撓性があり、アーム３０は、使用者の外耳においてその位置を保持するために、耳介１００の内側、例えば、耳珠１０４および対耳珠１０６の後部で、対耳輪１０８に隣接する耳甲介１０２の周囲に配置され、かつ、少なくとも部分的に対耳輪によって覆われることが意図されている。アームは、製造時に、アーム３０が耳介内の意図された位置へと簡単にフィットするように、好ましくは、対耳輪１０８の曲率より僅かに大きな曲率を有するアーチ形状に予め成形することができる。アーム３０は、ＩＴＥ型マイクロホン２６をＢＴＥ型補聴器回路の他の部品と相互接続させるための電線（見えない）を含む。
【０１０４】
一例では、アーム３０は、三角窩の下の動作位置へのＩＴＥ型マイクロホン２６の位置決めを容易にする長さおよび形状を有する。
【０１０５】
図７は、新規の補聴器１０における信号処理の一例を示すブロック図である。図示される補聴器１０は、使用者の耳介の後ろに装着されるように構成されたＢＴＥ型補聴器ハウジングに収容される前方マイクロホン１４および後方マイクロホン１６を有する。前方マイクロホン１４および後方マイクロホン１６は、マイクロホン１４、１６に達した音声信号を各オーディオ音声信号３３、３５に変換する。さらに、図示される補聴器１０は、使用者の外耳に配置されるイヤピース（図示しない）に収容されるＩＴＥ型マイクロホン２６を有する。ＩＴＥ型マイクロホン２６は、マイクロホン２６に達した音声信号をオーディオ音声信号３１に変換する。
【０１０６】
マイクロホンオーディオ音声信号３１、３３、３５は、各プリプロセッサ３２、３４、３６において、デジタル化され、プレフィルタリング等の前処理が行われる。前方および後方マイクロホン１４、１６の前処理済みオーディオ音声信号３８、４０は、各適応キューフィルタ４２、４４においてフィルタリングされ、適応フィルタリングが行われた信号４６、４８は、加算器５０において互いに加算され、結合信号５２は、難聴補正用のプロセッサ１８に入力される。難聴補正済みの信号５４は、その信号５４を音響出力信号に変換して使用者の鼓膜に向けて伝送を行うレシーバ２２に出力される。
【０１０７】
適応キューフィルタ４２、４４のフィルタ係数の適応は、減算器６２によって出力される、加算器４６の出力５２と前処理済みＩＴＥ型マイクロホンオーディオ音声信号６０との間の差５８を最小化するようにフィルタ係数の適応を制御する適応制御装置５６によって制御される。このように、プロセッサ１８への入力信号５２は、ＩＴＥ型マイクロホン２６のマイクロホンオーディオ音声信号６０をモデルとし、これにより使用者のＨＲＴＦも実質的にモデルとする。
【０１０８】
イヤピースのＩＴＥ型マイクロホン２６の前処理済み出力信号６０は、ＳＩＥＣ（ｆ，ｔ）（ＩＥＣ＝Ｉｎ  ｔｈｅ  Ｅａｒ  Ｃｏｍｐｏｎｅｎｔ）で示される短時間スペクトルを持つ。
【０１０９】
前方および後方マイクロホン１４、１６の前処理済みオーディオ音声信号３８、４０のスペクトルは、Ｓ１ＢＴＥＣ（ｆ，ｔ）およびＳ２ＢＴＥＣ（ｆ，ｔ）（ＢＴＥＣ＝Ｂｅｈｉｎｄ  Ｔｈｅ  Ｅａｒ  Ｃｏｍｐｏｎｅｎｔ）で示される。
【０１１０】
前処理には、いずれの形態の処理も除外されることなく、適応および／または静的なフィードバック抑制、適応または固定ビーム形成、およびプレフィルタリングが含まれてもよい。
【０１１１】
適応制御装置５６は、適応キューフィルタ４２、４４のフィルタ係数を、それらの合計出力５２がＩＴＥ型マイクロホン２６の前処理済み出力信号６０に可能な限り近く一致するように制御するように構成される。
【０１１２】
適応キューフィルタ４２、４４は、それぞれ伝達関数Ｇ１（ｆ，ｔ）およびＧ２（ｆ，ｔ）を有する。
【０１１３】
ＩＴＥ型マイクロホン２６は、現在の音環境の所望の空間情報を備えた電子音声信号６０の生成を行うモニタマイクロホンとして動作する。
【０１１４】
従って、適応キューフィルタ４２、４４のフィルタ係数は、以下の最小化問題：
【数１４】
0005624202.tif 000015
に対する厳密解または近似解を得るように適応が行われる。式中、ｐは、ノルム係数であり、好ましくは、ｐ＝２である。
【０１１５】
適応を制御するアルゴリズムは、例えば、最小二乗平均（ＬＭＳ）または再帰的最小二乗（ＲＬＳ）に基づく、場合により正規化された、ｐ＝２の最適化法でもよい（それに限定されることはない）。
【０１１６】
適応フィルタリングに続いて、適応キューフィルタ４２、４４の結合出力信号５２は、例えば圧縮器を用いて、さらなる難聴補正処理に回される。このように、前方および後方マイクロホン１４、１６からの信号のみが、難聴補正の結果として増幅され得るが、ＩＴＥ型マイクロホン２６の電子出力信号は、難聴処理を行うように構成されたプロセッサ１８において処理されず、それによって、出力変換器２２からＩＴＥ型マイクロホン２６への起こり得るフィードバックが最小化され、大きな最大安定利得を得ることができる。
【０１１７】
例えば、入射音場が一人の話者から発せられた音声から成り、発せられた音声が、短時間スペクトルＸ（ｆ，ｔ）を有する場合には、ＩＴＥ型マイクロホン信号６０に関して前処理が行われず、かつ、ＩＴＥ型マイクロホン２６が実際のＨＲＴＦを完全に再現すると仮定すると、以下の信号：
【数１５】
0005624202.tif 000016
【数１６】
0005624202.tif 000017
が与えられる。式中、Ｈ１，２（ｆ）は、２つのＢＴＥ型マイクロホン１４、１６の補聴器関連の伝達関数である。
【０１１８】
十分な適応を行った後、結果として得られる適応済みフィルタを用いて畳み込みが行われ、合計された補聴器インパルス応答は、実際のＨＲＴＦに等しく、
【数１７】
0005624202.tif 000018
である。
【０１１９】
話者が移動し、それによって、実際のＨＲＴＦが変化すると、適応キューフィルタ４２、４４は、すなわち、フィルタ係数を調整することによって適応制御装置５６は、最小化問題（数１４）の新しい最小値に向けて適応を行う。適応の時定数は、現在の音環境の変化に適切に対応するように設定される。
【０１２０】
補聴器においてフィードバックが起こった場合、フィードバックが存在する間に、少なくとも１つのＩＴＥ型マイクロホンの電子出力信号から、少なくとも１つのＢＴＥ型音声入力変換器の１つまたは複数の出力信号へフィードバックが伝達されることを避けるため、適応が停止されても（すなわち、フィルタ係数が変化することが防止されても）よいし、あるいは、適応レートが減速されてもよい。
【０１２１】
適応キューフィルタ４２、４４のフィルタ係数は、フィルタ係数の１セットが特定のＨＲＴＦに対して提供されるように、事前に決定することができる。
【０１２２】
（既定の各ＨＲＴＦごとに１セットずつの）フィルタ係数のセットは、ＫＥＭＡＲ等のマネキンを使用して決定してもよい。フィルタ係数は、上記に開示したように、いくつかの補聴器に対する到来方向について決定されるが、このことは、制御条件下で、かつ、長時間にわたる適応を許容して行われる。このように、補聴器使用者が補聴器を装着する際に方向感覚を維持できるほど十分な精度のものであり得る個々のＨＲＴＦへの近似が提供される。
【０１２３】
使用時に、少なくとも１つのＢＴＥ型音声入力変換器の（場合により前処理済みの）結合出力信号と、少なくとも１つのＩＴＥ型マイクロホンの（場合により前処理済みの）出力信号との間の差を最小限化するフィルタ係数のセットが選択される。使用中、適応キューフィルタは、対象となる使用者の個々のＨＲＴＦへのさらなる適応が可能であってもよい。フィルタ係数が安定するようになると、少なくとも１つのＩＴＥ型マイクロホンがそれ以降対象となるＨＲＴＦに使用されないように、適応が停止されてもよい。
【０１２４】
図７に示される新規の補聴器回路は、補聴器１０の周波数範囲全域で動作してもよい。
【０１２５】
図７に示される補聴器１０は、処理されるマイクロホンオーディオ音声信号３８、４０、６０が複数の周波数チャネルに分割され、各周波数チャネルにおいて信号を個別に処理するマルチチャネル補聴器でもよい。
【０１２６】
マルチチャネル補聴器１０の場合、図７は、単一の周波数チャネルにおける回路および信号処理を示していてもよい。回路および信号処理は、例えば、複数の周波数チャネルにおいて、例えば、全ての周波数チャネルにおいて重複してもよい。
【０１２７】
例えば、図７に示される信号処理は、例えば、販売所で特定の使用者に対して補聴器のフィッティングを行う際に選択される周波数帯域のような、選択された周波数帯域で行われてもよい。
【０１２８】
選択された周波数帯域は、周波数チャネルの内の１つまたは複数、あるいは、全ての周波数チャネルを含んでいてもよい。選択された周波数帯域は、断片化が行われてもよい。（すなわち、選択された周波数帯域は、連続した周波数チャネルを含む必要がない。
【０１２９】
複数の周波数チャネルは、ワーピングされた周波数チャネルを含むことが可能で、例えば、全ての周波数チャネルがワーピングされた周波数チャネルでもよい。
【０１３０】
選択された周波数帯域外では、ＩＴＥ型マイクロホン２６が、従来のように入力源として補聴器１０のプロセッサ１８に接続されてもよく、周知の方法で補聴器１０のプロセッサ１８と連携してもよい。
【０１３１】
このように、ＩＴＥ型マイクロホンは、この構成を用いて所望の利得を補聴器が提供可能な周波数で、補聴器に入力を供給する。この構成を用いて所望の利得を補聴器が提供できない選択された周波数帯域内においては、ＢＴＥ型補聴器ハウジングのマイクロホン１４、１６が、上記に開示したような信号処理に含まれる。このように、少なくとも１つのＩＴＥ型マイクロホンによって提供される音環境に関する空間情報を維持すると同時に、利得を増加させることができる。
【０１３２】
図８は、適応フィードバックキャンセル回路が追加されたことを除いては、図７に示す補聴器１０に類似する新規の補聴器１０を示すブロック図である。適応フィードバックキャンセル回路は、補聴器プロセッサ１８の出力に接続された入力７２と、個々の出力７４−１、７６−１、７６−２であって、その各々は、当技術分野において周知の通り、各フィードバック補正済みの信号８２−１、８４−１、８４−２を提供するために各マイクロホン出力３１、３３、３５から各出力７４−１、７６−１、７６−２を減算するための各減算器７８−１、８０−１、８０−２に接続される、個々の出力７４−１、７６−１、７６−２と、を備える。各フィードバック補正済みの信号８２−１、８４−１、８４−２は、対応するプリプロセッサ３２、３４、３６に供給され、また、適応フィードバックフィルタ７０の適応を制御するために、適応フィードバックフィルタ７０にも供給される。適応フィードバックフィルタ出力７４−１、７６−１、７６−２は、当技術分野において周知の通り、出力変換器２２から各マイクロホン１４、１６、２６へ伝わる対応するフィードバック信号の近似を構成する信号を提供する。ＢＴＥ型マイクロホンのフィードバック信号に近似する出力７６−１、７６−２は、適応制御装置５６にさらに接続される。
【０１３３】
図８の適応制御装置５６は、以下の条件：
【数１８】
0005624202.tif 000019
に従って、最小化問題（数１４）の解を得ることによって、または、空間的キューを保存すると同時にフィードバックを考慮するため、最小化問題：
【数１９】
0005624202.tif 000020
の解を得ることによって、適応キューフィルタ４２、４４のフィルタ係数の調整を制御する。一般的に、ｐ＝２および／またはＷ（ｆ）＝１である。
【０１３４】
図８に示される新規の補聴器回路は、補聴器１０の周波数帯囲全域で動作してもよい。
【０１３５】
図８に示される補聴器１０は、処理されるマイクロホンオーディオ音声信号３８、４０、６０が複数の周波数チャネルに分割され、適応回路とは別に、周波数チャネルにおいて信号を個別に処理するマルチチャネル補聴器であってもよい。適応回路は、依然として周波数範囲全域で動作してもよいし、他の周波数チャネル（一般的には、残りの示される回路よりも少ない周波数チャネル）に分割されてもよい。
【０１３６】
マルチチャネル補聴器１０の場合、適応回路は依然として周波数範囲全域で動作可能でもよいし、他の周波数チャネル（一般的には、残りの示される回路よりも少ない周波数チャネル）に分割されてもよいが、図７の回路に対応する図８の部品は、単一の周波数チャネルにおける回路および信号処理を示していてもよい。
【０１３７】
回路および信号処理は、例えば、全ての周波数チャネル等の、複数の周波数チャネルにおいて重複してもよい。
【０１３８】
例えば、図８に示される信号処理は、販売所で特定の使用者に対して補聴器のフィッティングを行う際に選択される周波数帯域のような、選択された周波数帯域で行われてもよい。
【０１３９】
選択された周波数帯域は、周波数チャネルの内の１つまたは複数、あるいは、全ての周波数チャネルを含んでいてもよい。選択された周波数帯域は、断片化が行われてもよい。すなわち、選択された周波数帯域は、連続した周波数チャネルを含む必要がない。
【０１４０】
複数の周波数チャネルは、ワーピングされた周波数チャネルを含むことが可能で、例えば、全ての周波数チャネルがワーピングされた周波数チャネルでもよい。
【０１４１】
選択された周波数帯域外では、少なくとも１つのＩＴＥ型マイクロホンが、従来のように入力源として補聴器の信号プロセッサに接続されてもよく、周知の方法で補聴器の信号プロセッサと連携してもよい。
【０１４２】
このように、少なくとも１つのＩＴＥ型マイクロホンは、この構成を用いて所望の利得を補聴器が提供可能な周波数で、補聴器に入力を供給する。この構成を用いて所望の利得を補聴器が提供できない選択された周波数帯域内においては、ＢＴＥ型補聴器ハウジングのマイクロホンが、上記に開示したような信号処理に含まれる。このように、少なくとも１つのＩＴＥ型マイクロホンによって提供される音環境に関する空間情報を維持すると同時に、利得を増加させることができる。
【０１４３】
図９は、任意の数ＮのＩＴＥ型マイクロホン２６−１、２６−２、・・・、２６−Ｎ、および任意の数ＭのＢＴＥ型マイクロホン１４−１、１４−２、・・・、１４−Ｍを含むように回路を一般化したことを除いては、図７に示す補聴器１０に類似し、図７に示す補聴器１０に類似した方法で動作する新規の補聴器１０を示すブロック図である。図７においては、Ｎ＝１およびＭ＝２である。図９においては、ＮおよびＭは、いずれの非負整数でもよい。
【０１４４】
Ｎ個のＩＴＥ型マイクロホン２６−１、２６−２、・・・、２６−Ｎからの出力信号３１−１、３１−２、・・・、３１−Ｎは、プリプロセッサ３２−１、３２−２、・・・、３２−Ｎにおける前処理後に、遅延器４１−１、４１−２、・・・、４１−Ｎによって遅延され、適応キューフィルタ４２−１、４２−２、・・・、４２−Ｍによって生じたＭ個のＢＴＥ型マイクロホン１４−１、１４−２、・・・、１４−Ｍからの出力信号３３−１、３３−２、・・・、３３−Ｍの遅延が補償される。遅延器４１−１、４１−２、・・・、４１−Ｎは、ビーム形成に用いてもよい。Ｎ個のＩＴＥ型マイクロホン２６−１、２６−２、・・・、２６−Ｎからの出力信号３１−１、３１−２、・・・、３１−Ｎは、信号結合器６４において、例えば加重和として、さらに結合され、信号結合器６４の出力６０は、図７に示される回路のように減算器６２に供給される。
【０１４５】
同様に、Ｍ個のＢＴＥ型マイクロホンからの出力信号３３−１、３３−２、・・・、３３−Ｍは、プリプロセッサ３４−１、３４−２、・・・、３４−Ｍにおいて前処理され、それぞれの適応キューフィルタ４２−１、４２−２、・・・、４２−Ｍにおいてフィルタリングされ、信号結合器５０において、例えば加重和として結合され、信号結合器５０の出力５２は、図７の回路のように減算器６２および補聴器プロセッサ１８に供給される。
【０１４６】
適応制御装置５６は、減算器６２によって提供されるＢＴＥ型信号結合器５０およびＩＴＥ型信号結合器６４の出力間の差５８を最小化するように、例えば、上記で既に述べられている最小化問題（数２）：
【数２０】
0005624202.tif 000021
の解を得ることによって、適応キューフィルタ４２−１、４２−２、・・・、４２−Ｍのフィルタ係数の適応を制御する。式中、ＳＩＥＣは、信号結合器６４の出力信号６０であり、Ｇ１（ｆ，ｔ）、Ｇ２（ｆ，ｔ）、・・・、Ｇｎ（ｆ，ｔ）は、各適応キューフィルタ４２−１、４２−２、・・・、４２−Ｍの伝達関数である。一般的に、ｐ＝２および／またはＷ（ｆ）＝１である。
【０１４７】
信号結合器５８によって実行される信号の結合における可能な重みは、伝達関数Ｇ１（ｆ，ｔ）、Ｇ２（ｆ，ｔ）、・・・、Ｇｎ（ｆ，ｔ）に含まれる。これらの重みは、周波数に依存していてもよい。
【０１４８】
このように、ＢＴＥ型信号結合器５０の出力信号５２は、ＩＴＥ型マイクロホン２６−１、２６−２、・・・、２６−Ｎの結合されたＩＴＥ型マイクロホンオーディオ音声信号６０をモデルとし、これにより使用者のＨＲＴＦも実質的にモデルとする。
【０１４９】
図９に示される新規の補聴器回路は、補聴器１０の周波数範囲全域で動作してもよい。
【０１５０】
図９に示される補聴器１０は、処理されるマイクロホンオーディオ音声信号３１−１、３１−２、・・・、３１−Ｎ、３３−１、３３−２、・・・、３３−Ｍが複数の周波数チャネルに分割され、各周波数チャネルにおいて信号を個別に処理するマルチチャネル補聴器でもよい。
【０１５１】
マルチチャネル補聴器１０の場合、図９は、単一の周波数チャネルにおける回路および信号処理を示していてもよい。回路および信号処理は、例えば、全ての周波数チャネル等の、複数の周波数チャネルにおいて重複してもよい。
【０１５２】
例えば、図９に示される信号処理は、例えば、販売所で特定の使用者に対して補聴器のフィッティングを行う際に選択される周波数帯域のような、選択された周波数帯域で行われてもよい。
【０１５３】
選択された周波数帯域は、周波数チャネルの内の１つまたは複数、あるいは、全ての周波数チャネルを含んでいてもよい。選択された周波数帯域は、断片化が行われてもよい。すなわち、選択された周波数帯域は、連続した周波数チャネルを含む必要がない。
【０１５４】
複数の周波数チャネルは、ワーピングされた周波数チャネルを含むことが可能で、例えば、全ての周波数チャネルがワーピングされた周波数チャネルでもよい。
【０１５５】
選択された周波数帯域外では、少なくとも１つのＩＴＥ型マイクロホン２６−１、２６−２、・・・、２６−Ｎが、従来のように入力源として補聴器１０の信号プロセッサ１８に接続されてもよく、周知の方法で補聴器１０の信号プロセッサ１８と連携してもよい。
【０１５６】
このように、少なくとも１つのＩＴＥ型マイクロホン２６−１、２６−２、・・・、２６−Ｎは、この構成を用いて所望の利得を補聴器が提供可能な周波数で、補聴器に入力を供給する。この構成を用いて所望の利得を補聴器が提供できない選択された周波数帯域内においては、ＢＴＥ型補聴器ハウジングのマイクロホン１４−１、１４−２、・・・、１４−Ｍが、上記に開示したような信号処理に含まれる。このように、少なくとも１つのＩＴＥ型マイクロホンによって提供される音環境に関する空間情報を維持すると同時に、利得を増加させることができる。
【０１５７】
図１０に示される補聴器１０の場合、図７と比較すると、図８に示される方法に類似して、図９に示される補聴器に適応フィードバックキャンセルが追加されている。すなわち、適応フィードバックフィルタ７０であって、補聴器プロセッサ１８の出力に接続された入力７２と、対応する前処理回路３２−１、３２−２、・・・、３２−Ｎ、３４−１、３４−２、・・・、３４−Ｍに、適応フィードバックフィルタ７０の適応を制御するために適応フィードバックフィルタ７０に供給されるフィードバック補正済みの信号８２−１、８２−２、・・・、８２−Ｎ、８４−１、８４−２、・・・、８４−Ｍを提供するために各マイクロホン出力から各出力を減算するための減算器７８−１、７８−２、・・・、７８−Ｎ、８０−１、８０−２、・・・、８０−Ｍに接続される、出力７４−１、７４−２、・・・、７４−Ｎ、７６−１、７６−２、・・・、７６−Ｍと、を備える適応フィードバックフィルタ７０が追加されている。適応フィードバックフィルタ出力７４−１、７４−２、・・・、７４−Ｎ、７６−１、７６−２、・・・、７６−Ｍは、当技術分野において周知の通り、出力変換器２２から各マイクロホン２６−１、２６−２、・・・、２６−Ｎ、１４−１、１４−２、・・・、１４−Ｍへ伝わる対応するフィードバック信号の近似を構成する信号を提供する。
【０１５８】
さらに、ＢＴＥ型マイクロホン１４−１、１４−２、・・・、１４−Ｍのフィードバック信号に近似する出力７６−１、７６−２、・・・、７６−Ｍは、適応制御装置５６に接続され、適応制御装置５６は、例えば、条件１が与えられている方程式１、または、空間的キューを保存すると同時にフィードバックを考慮するため、方程式５に従って、適応キューフィルタ４２−１、４２−２、・・・、４２−Ｍのフィルタ係数を制御する。
【０１５９】
適応制御装置５６は、最小化問題：
【数２１】
0005624202.tif 000022
の解を得ることによって、減算器６２によって提供される、ＩＴＥ型信号結合器６４の出力６０と、ＢＴＥ型信号結合器５０の出力５２との間の差５８を最小化するように適応キューフィルタ４２−１、４２−２、・・・、４２−Ｍのフィルタ係数の適応を制御する。上記の最小化問題は、
【数２２】
0005624202.tif 000023
または
【数２３】
0005624202.tif 000024
の条件が与えられる。式中、ＳＩＥＣは、信号結合器６４の出力信号６０であり、Ｇ１（ｆ，ｔ）、Ｇ２（ｆ，ｔ）、・・・、Ｇｎ（ｆ，ｔ）は、各適応キューフィルタ４２−１、４２−２、・・・、４２−Ｍの伝達関数である。一般的に、ｐ＝２および／またはＷ（ｆ）＝１である。
【０１６０】
信号結合器５８によって実行される信号の結合における可能な重みは、伝達関数Ｇ１（ｆ，ｔ）、Ｇ２（ｆ，ｔ）、・・・、Ｇｎ（ｆ，ｔ）に含まれる。これらの重みは、周波数に依存していてもよい。
【０１６１】
このように、ＢＴＥ型信号結合器５０の出力信号５２は、ＩＴＥ型マイクロホン２６−１、２６−２、・・・、２６−Ｎの結合されたＩＴＥ型マイクロホンオーディオ音声信号６０をモデルとし、これにより使用者のＨＲＴＦも実質的にモデルとする。
【０１６２】
図１０に示される新規の補聴器回路は、補聴器１０の周波数範囲全域で動作してもよい。
【０１６３】
図７〜図９に示されるＢＴＥ型補聴器と同様に、図１０に示される補聴器１０は、処理されるマイクロホンオーディオ音声信号３１−１、３１−２、・・・、３１−Ｎ、３３−１、３３−２、・・・、３３−Ｍが複数の周波数チャネルに分割され、各周波数チャネルにおいて信号を個別に処理するマルチチャネル補聴器でもよい。
【０１６４】
図７〜図９に類似して、図１０もまた、マルチチャネル補聴器１０の単一の周波数チャネルにおける回路および信号処理を示していてもよい。回路および信号処理は、依然として周波数範囲全域で動作可能でもよいし、それ自体の周波数チャネル（一般的には、残りの示される回路よりも少ない周波数チャネル）に分割されてもよい適応回路とは別に、複数の周波数チャネルにおいて、例えば、全ての周波数チャネルにおいて重複してもよい。
【０１６５】
マルチチャネル補聴器１０の場合、適応回路は依然として周波数範囲全域で動作可能でもよいし、他の周波数チャネル（一般的には、残りの示される回路よりも少ない周波数チャネル）に分割されてもよいが、図９の回路に対応する図１０の部品は、単一の周波数チャネルにおける回路および信号処理を示していてもよい。
【０１６６】
示される回路および信号処理は、例えば、全ての周波数チャネル等の、複数の周波数チャネルにおいて重複してもよい。
【０１６７】
例えば、図１０に示される信号処理は、例えば、販売所で特定の使用者に対して補聴器のフィッティングを行う際に選択される周波数帯域のような、選択された周波数帯域で行われてもよい。
【０１６８】
選択された周波数帯域は、周波数チャネルの内の１つまたは複数、あるいは、全ての周波数チャネルを含んでいてもよい。選択された周波数帯域は、断片化が行われてもよい。すなわち、選択された周波数帯域は、連続した周波数チャネルを含む必要がない。
【０１６９】
複数の周波数チャネルは、ワーピングされた周波数チャネルを含むことが可能で、例えば、全ての周波数チャネルがワーピングされた周波数チャネルでもよい。
【０１７０】
選択された周波数帯域外では、少なくとも１つのＩＴＥ型マイクロホンが、従来のように入力源として補聴器の信号プロセッサ１８に接続されてもよく、周知の方法で補聴器の信号プロセッサ１８と連携してもよい。
【０１７１】
このように、少なくとも１つのＩＴＥ型マイクロホン２６−１、２６−２、・・・、２６−Ｎは、この構成を用いて所望の利得を補聴器が提供可能な周波数で、補聴器に入力を供給する。この構成を用いて所望の利得を補聴器が提供できない選択された周波数帯域内においては、ＢＴＥ型補聴器ハウジングのマイクロホンが、上記に開示したような信号処理に含まれる。このように、少なくとも１つのＩＴＥ型マイクロホンによって提供される音環境に関する空間情報を維持すると同時に、利得を増加させることができる。
【０１７２】
図１１に示される補聴器１０は、図１０に示される補聴器１０に類似し、信号結合器６６がプロセッサ１８の前に挿入されたことを除いては、類似の方法で動作する。追加された信号結合器６６は、プロセッサ入力と、少なくとも１つのＩＴＥ型マイクロホン２６−１、２６−２、・・・、２６−Ｎの信号結合器６４の出力６０とをつなぐ第１のフィルタ、およびプロセッサ入力と、少なくとも１つのＢＴＥ型マイクロホン１４−１、１４−２、・・・、１４−Ｍの信号結合器５０の出力５２とをつなぐ第２の相補型フィルタとを含み、これらのフィルタは、少なくとも１つのＩＴＥ型マイクロホン２６−１、２６−２、・・・、２６−Ｎのそれぞれの信号結合器６４の出力６０が１つまたは複数の第１の周波数帯域でプロセッサ入力に供給される入力信号６８の主要部分を構成し、少なくとも１つのＢＴＥ型マイクロホン１４−１、１４−２、・・・、１４−Ｍのそれぞれの信号結合器５０の出力５２が１つまたは複数の第２の相補的な周波数帯域でプロセッサ入力に供給される入力信号６８の主要部分を構成するように、相補的な周波数帯域において周波数の通過および遮断を行う。
【０１７３】
この場合、少なくとも１つのＩＴＥ型マイクロホン２６−１、２６−２、・・・、２６−Ｎは、難聴補正に必要とされる利得は、少なくとも１つのＩＴＥ型マイクロホン２６−１、２６−２、・・・、２６−Ｎの出力信号６０に適用可能な１つまたは複数の周波数帯域において、プロセッサ１８への唯一の入力源として用いてもよい。これらの１つまたは複数の周波数帯域外では、必要とされる利得を提供するために、少なくとも１つのＢＴＥ型音声入力変換器１４−１、１４−２、・・・、１４−Ｍの結合出力信号５２が、信号プロセッサ１８に適用される。
【０１７４】
信号結合器６６において実行される信号の結合は、例えば、異なる種類のバンドパスフィルタリングに基づいてもよい。
【０１７５】
図１２に示される補聴器１０は、図１１に示される補聴器１０に類似する。
図１２では、補聴器１０の動作時に、信号結合器６６が適応型である点を除いては、類似の方法で動作する。信号結合器６６は、例えば、フィードバックループの状態に応じて、例えば、少なくとも１つのＩＴＥ型マイクロホン２６−１、２６−２、・・・、２６−Ｎの信号結合器６４の出力６０と、少なくとも１つのＢＴＥ型マイクロホン１４−１、１４−２、・・・、１４−Ｍの信号結合器５０の出力５２との相互接続を変更し、それによって、フィードバックのない必要とされる利得を提供するために、少なくとも１つのＩＴＥ型マイクロホン２６−１、２６−２、・・・、２６−Ｎが、フィードバックが現在存在しない１つまたは複数の周波数帯域において、プロセッサ１８への唯一の入力源として使用することができる一方で、フィードバックが現れそうな１つまたは複数の周波数帯域において、少なくとも１つのＢＴＥ型音声入力変換器１４−１、１４−２、・・・、１４−Ｍの結合出力信号５２を信号プロセッサ１８に適用することができる。
【０１７６】
また、以下の項目の何れかによる補聴器が開示される。
【０１７７】
項目１
使用者の耳介の後ろに装着されるように構成されたＢＴＥ型補聴器ハウジングと、
ＢＴＥ型補聴器ハウジングに収容される少なくとも１つのＢＴＥ型音声入力変換器であって、その各々が、音響音声を各オーディオ信号に変換するように構成される、少なくとも１つのＢＴＥ型音声入力変換器と、
意図された位置に固定および保持するために使用者の外耳に配置されるように構成されたＩＴＥ型マイクロホンハウジングと、
ＩＴＥ型マイクロホンハウジングに収容される少なくとも１つのＩＴＥ型マイクロホンであって、その各々が、音響音声を各オーディオ信号に変換するように構成される、少なくとも１つのＩＴＥ型マイクロホンと、
少なくとも１つの適応キューフィルタであって、その各々が、
少なくとも１つのＢＴＥ型音声入力変換器のそれぞれからの出力信号が与えられる入力を有し、
少なくとも１つの適応キューフィルタのフィルタ係数は、少なくとも１つのＩＴＥ型マイクロホンの出力と、少なくとも１つの適応キューフィルタの結合出力との間の差が低減されるように適応される、少なくとも１つの適応キューフィルタと、
少なくとも１つの適応キューフィルタによって出力されたフィルタリングされたオーディオ信号の結合に基づいて難聴補正済みの出力信号を生成するように構成されたプロセッサと、
難聴補正済みの出力信号を人の聴覚系が受け取り可能な聴覚出力信号に変換するための出力変換器と、
フィードバック抑制のための適応フィードバックキャンセラであって、
難聴補正済みの出力信号を受け取るためにプロセッサの出力に接続された入力と、
出力変換器の出力からそれぞれの少なくとも１つのＢＴＥ型マイクロホンまでのフィードバック経路をモデル化する少なくとも１つの出力であって、少なくとも１つのＢＴＥ型マイクロホンのそれぞれの出力から少なくとも１つの出力を減算し、少なくとも１つの適応キューフィルタのそれぞれに差を出力するための減算器に接続された、少なくとも１つの出力を有する、適応フィードバックキャンセラと、
を含み、
フィードバック／キュー制御装置であって、適応フィードバックキャンセラの少なくとも１つの出力および少なくとも１つの適応キューフィルタの出力に接続された入力を有し、少なくとも１つのＩＴＥ型マイクロホンの出力と、少なくとも１つの適応キューフィルタの結合出力との間の差が低減され、フィードバックが低減されるように、少なくとも１つの適応キューフィルタを制御するように構成されたフィードバック／キュー制御装置
をさらに含むことを特徴とする、補聴器。
【０１７８】
項目２
少なくとも１つの適応キューフィルタのフィルタ係数は、以下の式：
【数２４】
0005624202.tif 000025
の解に向けて適応を行うことができ、
式中、
ＳＩＥＣ（ｆ，ｔ）は、少なくとも１つのＩＴＥ型マイクロホンの出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、少なくとも１つのＢＴＥ型音声入力変換器の出力信号の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、少なくとも１つのＢＴＥ型マイクロホンのｎ番目のＢＴＥ型マイクロホンと関連付けられたフィードバック経路の伝達関数であり、
ｐは、ノルム係数であり、
Ｗ（ｆ）は、周波数依存性重み付け係数であり、
αは、空間的キュー精度およびフィードバック性能のバランスをとる重み付け係数である、項目１に記載の補聴器。
【０１７９】
項目３
少なくとも１つの適応キューフィルタのフィルタ係数は、以下の式：
【数２５】
0005624202.tif 000026
の解に向けて適応を行うことができ、
【数２６】
0005624202.tif 000027
の条件が与えられ、
式中、
ＳＩＥＣ（ｆ，ｔ）は、少なくとも１つのＩＴＥ型マイクロホンの出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、少なくとも１つのＢＴＥ型音声入力変換器の出力信号の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、少なくとも１つのＢＴＥ型マイクロホンのｎ番目のＢＴＥ型マイクロホンと関連付けられたフィードバック経路の伝達関数であり、
ｐは、ノルム係数であり、
ＭＳＧ（ｆ）は、最大安定利得である、項目１に記載の補聴器。
【０１８０】
項目４
少なくとも１つの適応キューフィルタのフィルタ係数のセットを格納するためのメモリをさらに含み、フィルタ係数の各セットは、問題の到来方向に対する少なくとも１つの適応キューフィルタの適応によって、補聴器に関する特定の到来方向に対して決定されている、項目１〜３の何れか１項に記載の補聴器。
【０１８１】
項目５
少なくとも１つの適応キューフィルタには、少なくとも１つのＩＴＥ型マイクロホンの出力と、少なくとも１つの適応キューフィルタの結合出力との間の最小の差を提供するフィルタ係数のセットがロードされる、項目４に記載の補聴器。
【０１８２】
項目６
少なくとも１つの適応キューフィルタは、ロードされた後、さらなる適応が可能である、項目５に記載の補聴器。
【０１８３】
項目７
少なくとも１つの適応キューフィルタは、フィルタ係数の値が大幅に変化しなくなると、さらに適応されることが防止される、項目１〜６の何れか１項に記載の補聴器。
【０１８４】
項目８
オーディオ信号は、複数の周波数チャネルに分割され、少なくとも１つの適応キューフィルタは、選択された周波数チャネルにおいてオーディオ信号を個別に処理するように構成される、項目１〜７の何れか１項に記載の補聴器。
【０１８５】
項目９
少なくとも１つのＢＴＥ型マイクロホンは、難聴補正が少なくとも１つのＩＴＥ型マイクロホンの出力のみに基づくように、選択された周波数チャネルにおいてプロセッサから切断される、項目８に記載の補聴器。
【０１８６】
項目１０
少なくとも１つのＢＴＥ型音声入力変換器は、第１および第２のＢＴＥ型音声入力変換器によって構成され、
少なくとも１つの適応キューフィルタは、第１および第２の適応キューフィルタによって構成され、
第１の適応キューフィルタは、第１のＢＴＥ型音声入力変換器からの出力信号が与えられる入力を有し、
第１の適応キューフィルタのフィルタ係数は、少なくとも１つのＩＴＥ型マイクロホンの出力と、第１および第２の適応キューフィルタの結合出力との間の差が低減されるように適応され、
第２の適応キューフィルタは、第２のＢＴＥ型音声入力変換器からの出力信号が与えられる入力を有し、
第２の適応キューフィルタのフィルタ係数は、少なくとも１つのＩＴＥ型マイクロホンの出力と、第１および第２の適応キューフィルタの結合出力との間の差が低減されるように適応される、項目１〜９の何れか１項に記載の補聴器。
【０１８７】
項目１１
αは、周波数に依存する、項目１〜１０の何れか１項に記載の補聴器。
【０１８８】
項目１２
Ｗ（ｆ）＝１である、項目１〜１１の何れか１項に記載の補聴器。
【０１８９】
項目１３
ｐ＝２である、項目１〜１２の何れか１項に記載の補聴器。
【０１９０】
項目１４
音声信号伝送部材であって、音声信号伝送部材の第１の端部におけるＢＴＥ型補聴器ハウジングの音声出力から、音声信号伝送部材の第２の端部における使用者の外耳道への音声信号の伝送を行うための音声信号伝送部材と、
使用者の外耳道内の意図された位置に音声信号伝送部材を固定および保持するために使用者の外耳道内に挿入されるように構成されたイヤピースと、
を含む、項目１〜１３の何れか１項に記載の補聴器。
【０１９１】
また、以下の特徴の何れかによる補聴器が開示される。
【０１９２】
特徴１
使用者の耳介の後ろに装着されるように構成されたＢＴＥ型補聴器ハウジングと、
ＢＴＥ型補聴器ハウジングに収容される少なくとも１つのＢＴＥ型音声入力変換器であって、その各々が、音響音声を各オーディオ音声信号に変換するように構成される、少なくとも１つのＢＴＥ型音声入力変換器と、
使用者の外耳に配置されるように構成されたＩＴＥ型マイクロホンハウジングと、
ＩＴＥ型マイクロホンハウジングに収容される少なくとも１つのＩＴＥ型マイクロホンであって、その各々が、音響音声を各オーディオ音声信号に変換するように構成される、少なくとも１つのＩＴＥ型マイクロホンと、
少なくとも１つの適応キューフィルタであって、その各々が、少なくとも１つのＢＴＥ型音声入力変換器からの出力が与えられる入力を有し、少なくとも１つの適応キューフィルタのフィルタ係数は、少なくとも１つのＩＴＥ型マイクロホンの出力と、少なくとも１つの適応キューフィルタの結合出力との間の差が低減されるように適応される、少なくとも１つの適応キューフィルタと、
少なくとも１つの適応キューフィルタによる出力に基づいて難聴補正済みの出力信号を生成するように構成されたプロセッサと、
難聴補正済みの出力信号を人の聴覚系が受け取り可能な聴覚出力信号に変換するための出力変換器と、
フィードバック抑制のための適応フィードバックキャンセラであって、難聴補正済みの出力信号を受け取るためにプロセッサに接続された入力を有し、出力変換器と少なくとも１つのＢＴＥ型音声入力変換器との間のフィードバック経路をモデル化する少なくとも１つの出力を提供するように構成され、フィードバック経路をモデル化する少なくとも１つの出力は、差を得るために、少なくとも１つのＢＴＥ型音声入力変換器の出力からフィードバック経路をモデル化する少なくとも１つの出力を減算するための減算器に提供され、減算器は、少なくとも１つの適応キューフィルタに差を出力する、適応フィードバックキャンセラと、
適応フィードバックキャンセラおよび少なくとも１つの適応キューフィルタに接続され、少なくとも１つのＩＴＥ型マイクロホンの出力と、少なくとも１つの適応キューフィルタの結合出力との間の差が低減されるように、少なくとも１つの適応キューフィルタを制御するように構成されたフィードバック／キュー制御装置と、
を含むことを特徴とする、補聴器。
【０１９３】
特徴２
少なくとも１つの適応キューフィルタのフィルタ係数は、以下の式：
【数２７】
0005624202.tif 000028
の解に向けて適応を行うことができ、
式中、
ＳＩＥＣ（ｆ，ｔ）は、少なくとも１つのＩＴＥ型マイクロホンの出力信号の時間ｔにおける短時間スペクトルであり、Ｓ１ＢＴＥＣ（ｆ，ｔ），Ｓ２ＢＴＥＣ（ｆ，ｔ），・・・ＳｎＢＴＥＣ（ｆ，ｔ）は、少なくとも１つのＢＴＥ型音声入力変換器の出力の時間ｔにおける短時間スペクトルであり、Ｇ１ＢＴＥＣ（ｆ，ｔ），Ｇ２ＢＴＥＣ（ｆ，ｔ），・・・ＧｎＢＴＥＣ（ｆ，ｔ）は、少なくとも１つのＢＴＥ型音声入力変換器の各出力に接続された前処理フィルタの伝達関数であり、ＨＦＢ，１ＢＴＥＣ（ｆ），ＨＦＢ，２ＢＴＥＣ（ｆ），・・・ＨＦＢ，ｎＢＴＥＣ（ｆ）は、少なくとも１つのＢＴＥ型マイクロホンのｎ番目のＢＴＥ型マイクロホンと関連付けられたフィードバック経路の伝達関数であり、
ｐは、ノルム係数であり、
Ｗ（ｆ）は、周波数依存性重み付け係数であり、
αは、空間的キュー精度およびフィードバック性能のバランスをとる重み付け係数である、特徴１に記載の補聴器。
【０１９４】
特徴３
ＢＴＥおよびＩＴＥからのオーディオ音声信号は、複数の周波数チャネルに分割され、少なくとも１つの適応キューフィルタは、周波数チャネルの１つまたは複数においてオーディオ音声信号を個別に処理するように構成される、特徴１に記載の補聴器。
【０１９５】
特徴４
少なくとも１つのＢＴＥ型音声入力変換器は、難聴補正が少なくとも１つのＩＴＥ型マイクロホンの出力のみに基づくように、周波数チャネルの１つまたは複数においてプロセッサから切断される、特徴３に記載の補聴器。
【０１９６】
特徴５
少なくとも１つのＢＴＥ型音声入力変換器は、第１のＢＴＥ型音声入力変換器と、第２のＢＴＥ型音声入力変換器とを含み、
少なくとも１つの適応キューフィルタは、第１の適応キューフィルタと、第２の適応キューフィルタとを含み、
第１の適応キューフィルタは、第１のＢＴＥ型音声入力変換器からの出力信号が与えられる入力を有し、
第１の適応キューフィルタのフィルタ係数は、少なくとも１つのＩＴＥ型マイクロホンの出力と、第１および第２の適応キューフィルタの結合出力との間の差が低減されるように適応される、特徴１に記載の補聴器。
【０１９７】
特徴６
第２の適応キューフィルタは、第２のＢＴＥ型音声入力変換器からの出力信号が与えられる入力を有し、
第２の適応キューフィルタのフィルタ係数は、少なくとも１つのＩＴＥ型マイクロホンの出力と、第１および第２の適応キューフィルタの結合出力との間の差が低減されるように適応される、特徴５に記載の補聴器。
【０１９８】
特徴７
αは、周波数に依存する、特徴２に記載の補聴器。
【０１９９】
特徴８
Ｗ（ｆ）＝１である、特徴２に記載の補聴器。
【０２００】
特徴９
ｐ＝２である、特徴２に記載の補聴器。
【０２０１】
特徴１０
音声信号伝送部材であって、音声信号伝送部材の第１の端部におけるＢＴＥ型補聴器ハウジングの音声出力から、音声信号伝送部材の第２の端部における使用者の外耳道への音声信号の伝送を行うための音声信号伝送部材と、
使用者の外耳道内の意図された位置に音声信号伝送部材を固定および保持するために使用者の外耳道内に挿入されるように構成されたイヤピースと、
をさらに含む、特徴１に記載の補聴器。
【０２０２】
特定の実施形態が示されて説明されてきたが、特許請求される発明を好ましい実施形態に限定することは意図されないことが理解され、当業者であれば、特許請求される発明の精神および範囲から逸脱することなく、様々な変形や変更を行うことができることは明らかであろう。明細書および図面は、それに従って、限定的な意味というよりむしろ例示的な意味で考慮されたい。特許請求される発明は、代替形態、変更形態および均等物を包含することが意図される。
【符号の説明】
【０２０３】
１０  マルチチャネル補聴器
１２  ＢＴＥ型補聴器ハウジング
１４  ＢＴＥ型前方マイクロホン
１６  ＢＴＥ型後方マイクロホン
１８  プロセッサ
２０  音声信号伝送部材
２２  出力変換器
２４  イヤピース
２６  ＩＴＥ型マイクロホン
２８  電池
３０  アーム
３１、３３、３５  オーディオ音声信号
３２、３４  プリプロセッサ
３８、４０  前処理済みオーディオ信号
４２、４４  適応キューフィルタ
４６、４８  適応フィルタリングが行われた信号
５０  加算器
５２  結合信号
５４  難聴補正済みの信号
５６  適応制御装置
５８  信号結合器
６０  ＩＴＥ型マイクロホンオーディオ発声信号
６２  減算器
６４  ＩＴＥ型信号結合器
６８  入力信号
７０  適応フィードバックフィルタ
１００  耳介
１０２  耳甲介
１０４  耳珠
１０６  対耳珠
１０８  対耳輪
【図６】
0005624202.tif 000032
【図９】
0005624202.tif 000033
【図１０】
0005624202.tif 000034
【図１１】
0005624202.tif 000035
【図１２】
0005624202.tif 000036
【図１】
0005624202.tif 000037
【図２】
0005624202.tif 000038
【図３】
0005624202.tif 000039
【図４】
0005624202.tif 000040
【図５】
0005624202.tif 000041
【図７】
0005624202.tif 000042
【図８】
0005624202.tif 000043